(57)【要約】【課題】アンテナエレメント同士の結合を低減したアンテナ装置、及び、電子機器を提供する。【解決手段】アンテナ装置は、端辺から内部の第１点まで伸延し、端辺に沿って第２点まで伸延するスリットとを有するグランドプレーンと、第１給電点と第１開放端とを有し、第１給電点は、スリットに対してスリットと端辺とで囲まれる領域とは反対側において第１面の近傍に配置され、第１給電点から第１面に対する第１高さ位置の第１折り曲げ部まで伸延し、第１開放端まで伸延する第１アンテナエレメントと、第２給電点と第２開放端とを有し、第２給電点は、スリットに対してスリットと端辺とで囲まれる領域において第１面の近傍に配置され、第２給電点から第１面に対する第２高さ位置の第２折り曲げ部まで伸延し、第２開放端まで伸延し、第２開放端側でスリットと交叉する、第２アンテナエレメントとを含む。【選択図】図３
2018170589.tif 000002
【特許請求の範囲】
【請求項１】
端辺と、第１面と、前記端辺に設けられるスリット開放端から平面視で内部の第１点まで伸延し、前記第１点で折れ曲がって前記端辺に沿って第２点まで伸延するスリットとを有するグランドプレーンと、
第１給電点と第１開放端とを有する第１アンテナエレメントであって、前記第１給電点は、平面視で前記スリットに対して前記スリットと前記端辺とで囲まれる領域とは反対側において前記第１面の近傍に配置され、前記第１給電点から前記第１面に対する第１高さ位置の第１折り曲げ部まで伸延し、前記第１折り曲げ部で前記スリットに沿う方向に折り曲げられて前記第１開放端まで伸延する、第１アンテナエレメントと、
第２給電点と第２開放端とを有する第２アンテナエレメントであって、前記第２給電点は、平面視で前記スリットに対して前記スリットと前記端辺とで囲まれる領域において前記第１面の近傍に配置され、前記第２給電点から前記第１面に対する第２高さ位置の第２折り曲げ部まで伸延し、前記第２折り曲げ部で前記スリットに沿う方向に折り曲げられて前記第２開放端まで伸延し、平面視で前記第２開放端側で前記スリットと交叉する、第２アンテナエレメントと
を含む、アンテナ装置。
【請求項２】
前記第１アンテナエレメントと前記第２アンテナエレメントとは、前記スリットの前記第１点と前記第２点との間の区間に沿って配置され、
前記第２アンテナエレメントの前記第２開放端側の部分は、前記スリットの前記スリット開放端と前記第１点との間の区間と交叉する、請求項１記載のアンテナ装置。
【請求項３】
前記第１給電点と前記第２給電点とは、前記スリットの前記第１点と前記第２点との間の区間を挟んで隣り合って配置されており、
前記第１高さ位置と前記第２高さ位置は等しく、
前記第１アンテナエレメントの前記第１折り曲げ部から前記第１開放端までの区間と、前記第２アンテナエレメントの前記第２折り曲げ部から前記第２開放端までの区間とは、平行である、請求項１又は２記載のアンテナ装置。
【請求項４】
前記端辺の前記スリット開放端に対する第１側及び第２側にそれぞれ接続される第１端部及び第２端部を有し、前記第１端部と前記第２端部との間で前記端辺よりも突出して設けられる突出金属部材をさらに含む、請求項１乃至３のいずれか一項記載のアンテナ装置。
【請求項５】
前記突出金属部材は、前記端辺から離間する方向に前記第１端部から第３折り曲げ部まで伸延する第１区間と、前記第３折り曲げ部で前記端辺に沿って折り曲げられて第４折り曲げ部まで伸延する第２区間と、前記第４折り曲げ部で前記端辺に向かって折り曲げられて前記第２端部まで伸延する第３区間とを有する、請求項４記載のアンテナ装置。
【請求項６】
前記端辺と前記突出金属部材とで形成されるループの長さは、前記第２アンテナエレメントの通信周波数における波長の電気長よりも長い、又は、短い、請求項４又は５記載のアンテナ装置。
【請求項７】
前記スリットの前記スリット開放端から前記第１点を経た前記第２点までの長さは、前記第２アンテナエレメントの通信周波数における波長の電気長の１／４の長さよりも長い、又は、短い、請求項１乃至６のいずれか一項記載のアンテナ装置。
【請求項８】
筐体と、
前記筐体に配設されるアンテナ装置と
を含み、
前記アンテナ装置は、
端辺と、第１面と、前記端辺に設けられるスリット開放端から平面視で内部の第１点まで伸延し、前記第１点で折れ曲がって前記端辺に沿って第２点まで伸延するスリットとを有するグランドプレーンと、
第１給電点と第１開放端とを有する第１アンテナエレメントであって、前記第１給電点は、平面視で前記スリットに対して前記スリットと前記端辺とで囲まれる領域とは反対側において前記第１面の近傍に配置され、前記第１給電点から前記第１面に対する第１高さ位置の第１折り曲げ部まで伸延し、前記第１折り曲げ部で前記スリットに沿う方向に折り曲げられて前記第１開放端まで伸延する、第１アンテナエレメントと、
第２給電点と第２開放端とを有する第２アンテナエレメントであって、前記第２給電点は、平面視で前記スリットに対して前記スリットと前記端辺とで囲まれる領域において前記第１面の近傍に配置され、前記第２給電点から前記第１面に対する第２高さ位置の第２折り曲げ部まで伸延し、前記第２折り曲げ部で前記スリットに沿う方向に折り曲げられて前記第２開放端まで伸延し、平面視で前記第２開放端側で前記スリットと交叉する、第２アンテナエレメントと
を有する、電子機器。
【発明の詳細な説明】
【技術分野】
【０００１】
本発明は、アンテナ装置、及び、電子機器に関する。
【背景技術】
【０００２】
従来より、車両に搭載される車載アンテナ装置であって、水平方向に所定の長さを有する基板と、前記基板における前記水平方向の両端にそれぞれ設けられた垂直偏波のアンテナとを含む車載アンテナ装置がある。
【０００３】
前記基板上に形成された導体パターンであって、前記各アンテナ毎に形成され、該各アンテナの地板として機能する地板パターンと、前記基板上に形成された導体パターンであって、前記各地板パターンの間に形成され、前記各アンテナの双方に対し、水平偏波の無給電素子として機能する中間パターンとをさらに含む。
【０００４】
前記各アンテナの受信信号のうち少なくとも一方の位相を変化させることにより該各受信信号の位相差を制御する位相制御手段と、前記位相制御手段による前記位相差の制御後の前記各受信信号を合成する合成手段とをさらに含む。
【０００５】
各地板と回路グランドとは、基板の両側に形成された各スリットによって約２／３ほどが分離されている（例えば、特許文献１参照）。
【先行技術文献】
【特許文献】
【０００６】
【特許文献１】特開２００９−２５５１３３号公報
【発明の概要】
【発明が解決しようとする課題】
【０００７】
ところで、従来のアンテナ装置は、水平方向の両端にそれぞれ設けられた垂直偏波のアンテナ（アンテナエレメント）は、基板の両端に配置されて十分に離れているため、アンテナエレメント同士の結合は問題になっていない。
【０００８】
例えば、複数のアンテナエレメントを配置するスペースに制約がある場合には、アンテナエレメント同士の結合を低減することが課題になる。
【０００９】
そこで、アンテナエレメント同士の結合を低減したアンテナ装置、及び、電子機器を提供することを目的とする。
【課題を解決するための手段】
【００１０】
本発明の実施の形態のアンテナ装置は、端辺と、第１面と、前記端辺に設けられるスリット開放端から平面視で内部の第１点まで伸延し、前記第１点で折れ曲がって前記端辺に沿って第２点まで伸延するスリットとを有するグランドプレーンと、第１給電点と第１開放端とを有する第１アンテナエレメントであって、前記第１給電点は、平面視で前記スリットに対して前記スリットと前記端辺とで囲まれる領域とは反対側において前記第１面の近傍に配置され、前記第１給電点から前記第１面に対する第１高さ位置の第１折り曲げ部まで伸延し、前記第１折り曲げ部で前記スリットに沿う方向に折り曲げられて前記第１開放端まで伸延する、第１アンテナエレメントと、第２給電点と第２開放端とを有する第２アンテナエレメントであって、前記第２給電点は、平面視で前記スリットに対して前記スリットと前記端辺とで囲まれる領域において前記第１面の近傍に配置され、前記第２給電点から前記第１面に対する第２高さ位置の第２折り曲げ部まで伸延し、前記第２折り曲げ部で前記スリットに沿う方向に折り曲げられて前記第２開放端まで伸延し、平面視で前記第２開放端側で前記スリットと交叉する、第２アンテナエレメントとを含む。
【発明の効果】
【００１１】
アンテナエレメント同士の結合を低減したアンテナ装置、及び、電子機器を提供することができる。
【図面の簡単な説明】
【００１２】
【図１】実施の形態１のアンテナ装置を含むタブレットコンピュータ５００の正面側を示す斜視図である。
【図２】タブレットコンピュータ５００の配線基板５０５を示す図である。
【図３】実施の形態１のアンテナ装置１００を示す斜視図である。
【図４】実施の形態１のアンテナ装置１００を示す平面図である。
【図５】図３の一部を拡大して示す図である。
【図６】図５に拡大して示す部分の側面を示す図である。
【図７】アンテナ装置１００のシミュレーションモデルの各パラメータを示す図である。
【図８】図７に示すシミュレーションモデルで得たアンテナエレメント１１０及び１２０の結合係数の周波数特性を示す図である。
【図９】グランドプレーン５０、スリット５５、枠部５６、アンテナエレメント１１０及び１２０の電流分布を示す図である。
【図１０】実施の形態２のアンテナ装置２００を示す斜視図である。
【図１１】図１０の一部を拡大して示す平面図である。
【図１２】アンテナ装置２００のシミュレーションモデルの各パラメータを示す図である。
【図１３】図１２に示すシミュレーションモデルで得たアンテナエレメント１１０及び１２０の結合係数の周波数特性を示す図である。
【図１４】実施の形態２の変形例によるアンテナ装置２００Ａを示す図である。
【図１５】実施の形態２の変形例によるアンテナ装置２００Ｂを示す図である。
【図１６】実施の形態３のアンテナ装置３００を示す斜視図である。
【図１７】実施の形態３のアンテナ装置３００を示す平面図である。
【図１８】図１６の一部を拡大して示す斜視図である。
【図１９】図１８に拡大して示す部分を示す平面図である。
【図２０】アンテナ装置３００のシミュレーションモデルの各パラメータを示す図である。
【図２１】図２０に示すシミュレーションモデルで得たアンテナエレメント１１０及び１２０の結合係数の周波数特性を示す図である。
【図２２】図２０に示すシミュレーションモデルで得たアンテナエレメント１１０及び１２０の結合係数と反射係数の周波数特性を示す図である。
【図２３】図２０に示すシミュレーションモデルで得たアンテナエレメント１１０及び１２０のトータル効率の周波数特性を示す図である。
【発明を実施するための形態】
【００１３】
以下、本発明のアンテナ装置、及び、電子機器を適用した実施の形態について説明する。
【００１４】
＜実施の形態１＞
図１は、実施の形態１のアンテナ装置を含むタブレットコンピュータ５００の正面側を示す斜視図である。タブレットコンピュータ５００は、実施の形態１のアンテナ装置を含む電子機器の一例である。
【００１５】
タブレットコンピュータ５００の筐体５００Ａには、正面側にタッチパネル５０１及びディスプレイパネル５０２が配設され、タッチパネル５０１の下側には、ホームボタン５０３とスイッチ５０４が配設される。タッチパネル５０１は、ディスプレイパネル５０２の表面側に設けられている。
【００１６】
なお、実施の形態１のアンテナ装置を含む電子機器は、タブレットコンピュータ５００に限られず、スマートフォン端末機、携帯電話端末機、又はゲーム機等であってもよい。
【００１７】
図２は、タブレットコンピュータ５００の配線基板５０５を示す図である。
【００１８】
配線基板５０５は、筐体５００Ａ（図１参照）の内部に配設される。配線基板５０５には、ＤＵＰ(Duplexer)５１０、ＬＮＡ(Low  Noise  Amplifier)／ＰＡ(Power  Amplifier)５２０、変調／復調器５３０、及びＣＰＵ(Central  Processing  Unit：中央演算処理装置)チップ５４０が実装される。
【００１９】
また、配線基板５０５のＤＵＰ５１０、ＬＮＡ／ＰＡ５２０、変調／復調器５３０、及びＣＰＵチップ５４０が実装される面とは反対側の面には、実施の形態１のアンテナ装置１００が配設される。アンテナ装置１００の詳細な構成については後述するため、図２では、アンテナ装置１００の位置を破線で示す。
【００２０】
ＤＵＰ５１０、ＬＮＡ／ＰＡ５２０、変調／復調器５３０、及びＣＰＵチップ５４０は、配線５６５を介して接続されている。
【００２１】
ＤＵＰ５１０は、配線５６０Ａ、５６０Ｂから図示しないビアを経て配線基板５０５の反対側に設けられる同軸ケーブル５７０Ａ、５７０Ｂを介してアンテナ装置１００の２つのアンテナエレメントに接続されており、送信又は受信の切り替えを行う。ＤＵＰ５１０は、フィルタとしての機能を有するため、アンテナ装置１００が複数の周波数の信号を受信した場合に、それぞれの周波数の信号を内部で分離することができる。
【００２２】
ＬＮＡ／ＰＡ５２０は、送信波及び受信波の電力の増幅を行う。変調／復調器５３０は、送信波の変調と受信波の復調を行う。ＣＰＵチップ５４０は、タブレットコンピュータ５００の通信処理を行う通信用プロセッサとしての機能と、アプリケーションプログラムを実行するアプリケーションプロセッサとしての機能とを有する。なお、ＣＰＵチップ５４０は、送信するデータ又は受信したデータ等を格納する内部メモリを有する。
【００２３】
なお、配線５６０Ａ、５６０Ｂ、５６５は、例えば、配線基板５０５の表面の銅箔をパターニングすることによって形成される。また、図２では図示を省くが、アンテナ装置１００とＤＵＰ５１０との間には、インピーダンス特性を調整するための整合回路が設けられる。
【００２４】
図３及び図４は、実施の形態１のアンテナ装置１００を示す斜視図及び平面図である。図５は、図３の一部を拡大して示す図であり、図６は、図５に拡大して示す部分の側面を示す図である。
【００２５】
アンテナ装置１００は、グランドプレーン５０、アンテナエレメント１１０、１２０、整合回路１３０Ａ、１３０Ｂを含む。アンテナ装置１００は、通信機能を有するタブレットコンピュータ５００(図1参照)に設けられる。
【００２６】
グランドプレーン５０は、接地電位に保持される金属層であり、頂点５１、５２、５３、５４を有する矩形状の金属層である。グランドプレーン５０は、接地板又は地板として取り扱うことができるものである。
【００２７】
グランドプレーン５０は、例えば、ＦＲ−４(Flame  Retardant  type  4)規格の配線基板５０５（図２参照）の表面、裏面、又は内層に配置される金属層である。ここでは、一例として、グランドプレーン５０は、配線基板５０５のＤＵＰ５１０、ＬＮＡ／ＰＡ５２０、変調／復調器５３０、ＣＰＵチップ５４０、配線５６０Ａ、５６０Ｂ、５６５が配置される面とは反対側の面に設けられている。
【００２８】
図１では、頂点５１と５２の間、頂点５３と５４の間、及び、頂点５４と５１の間がそれぞれ直線状の端辺であるグランドプレーン５０を示すが、例えば、アンテナ装置１００を含む電子機器の筐体の内部形状等に合わせて、凹凸が設けられていることによって直線状ではない場合があり得る。なお、以下では、グランドプレーン５０の頂点５２と５３の間の辺を端辺５０Ａと称す。
【００２９】
また、グランドプレーン５０は、スリット５５と枠部５６を含む。グランドプレーン５０の表面５０ＢのＺ軸正方向側には、アンテナエレメント１１０、１２０が設けられている。表面５０Ｂは、第１面の一例である。
【００３０】
スリット５５は、開放端５５Ａ、折り曲げ部５５Ｂ、及び端部５５Ｃを有する平面視でＬ字型のスリットである。スリット５５は、端辺５０Ａに設けられた開放端５５Ａから、Ｘ軸負方向側の折り曲げ部５５Ｂまで伸延し、折り曲げ部５５ＢでＹ軸正方向に折り曲げられ、端部５５Ｃまで伸延している。開放端５５ＡのＹ軸方向の位置は、端辺５０Ａのほぼ中央である。開放端５５Ａは、スリット開放端の一例であり、折り曲げ部５５Ｂは第１点の一例であり、端部５５Ｃは第２点の一例である。
【００３１】
スリット５５は、グランドプレーン５０から、開放端５５Ａから折り曲げ部５５Ｂを経て端部までのＬ字型の部分を切り欠いた切り欠き部である。このようなスリット５５は、例えば、配線基板５０５のグランドプレーン５０をエッチング処理等を用いたパターニングを行うことによって作製することができる。
【００３２】
枠部５６は、グランドプレーン５０の端辺５０ＡからＸ軸正方向側に突出するように設けられている。枠部５６は、接続端５６Ａ、折り曲げ部５６Ｂ、５６Ｃ、及び接続端５６Ｄを有する。枠部５６は、グランドプレーン５０と同様にグランド電位に保持される。
【００３３】
枠部５６は、接続端５６Ａで端辺５０Ａに接続され、接続端５６Ａから折り曲げ部５６ＢまでＸ軸正方向側に伸延し、折り曲げ部５６ＢでＹ軸負方向側に折り曲げられて折り曲げ部５６Ｂから折り曲げ部５６Ｃまで伸延し、折り曲げ部５６ＣでＸ軸負方向側に折り曲げられて、折り曲げ部５６Ｃから接続端５６Ｄまで伸延している。接続端５６Ｄは端辺５０Ａに接続されている。枠部５６は、グランドプレーン５０の端辺５０ＡからＸ軸正方向側に突出する枠状の金属部材である。
【００３４】
枠部５６は、突出金属部材の一例であり、接続端５６Ａは第１端部の一例であり、折り曲げ部５６Ｂ、５６Ｃは、それぞれ、第３折り曲げ部、第４折り曲げ部の一例であり、接続端５６Ｄは第２端部の一例である。また、接続端５６Ａと折り曲げ部５６Ｂとの間の区間は第１区間の一例であり、折り曲げ部５６Ｂ、５６Ｃの間の区間は第２区間の一例であり、折り曲げ部５６Ｃと接続端５６Ｄとの間の区間は第３区間の一例である。
【００３５】
なお、スリット５５は、アンテナエレメント１２０と結合して一体的に動作するものであるため、開放端５５Ａから折り曲げ部５５Ｂを経て端部５５Ｃ至る長さは、通信周波数における波長の１／４波長に設定される。
【００３６】
また、枠部５６は、端辺５０Ａとで形成される矩形状のループがアンテナエレメント１２０と結合して一体的に動作するため、ループの長さが通信周波数における波長の１波長に設定される。
【００３７】
また、アンテナエレメント１２０の帯域を拡げるために、スリット５５の長さを１／４波長よりも短くするとともに、枠部５６と端辺５０Ａとで形成されるループの長さを１波長よりも長くしてもよい。また、これとは逆に、アンテナエレメント１２０の帯域を拡げるために、スリット５５の長さを１／４波長よりも長くするとともに、枠部５６と端辺５０Ａとで形成されるループの長さを１波長よりも短くしてもよい。
【００３８】
アンテナエレメント１１０は、給電点１１１、折り曲げ部１１２、及び開放端１１３を有し、グランドプレーン５０の表面５０Ｂの近傍に配置される。アンテナエレメント１１０は、逆Ｌ型のアンテナエレメントであり、第１アンテナエレメントの一例である。アンテナエレメント１１０は、例えば、筐体５００Ａ（図１参照）の内面に固定されている。
【００３９】
給電点１１１は、スリット５５の折り曲げ部５５Ｂと端部５５Ｃとの間の区間のＸ軸負方向側において、グランドプレーン５０の表面５０Ｂから離間して、表面５０Ｂの近傍に設けられている。
【００４０】
給電点１１１には、整合回路１３０Ａを介して同軸ケーブル５７０Ａが接続されている。給電点１１１は、整合回路１３０Ａを介して、同軸ケーブル５７０Ａ（図２参照）の芯線に接続され、給電される。
【００４１】
アンテナエレメント１１０は、給電点１１１からＺ軸正方向側に伸延し、折り曲げ部１１２でＹ軸負方向側に折り曲げられ、折り曲げ部１１２から開放端１１３まで伸延している。折り曲げ部１１２と開放端１１３との間の区間は、スリット５５の折り曲げ部５５Ｂと端部５５Ｃとの間の区間に沿っており、平行に配置されている。
【００４２】
また、折り曲げ部１１２と開放端１１３との間の区間のグランドプレーン５０の表面５０Ｂからの高さ（Ｚ軸方向の距離）は一定である。開放端１１３の平面視での位置は、一例として、スリット５５の折り曲げ部５５Ｂ及び開放端５５ＡよりもＹ軸負方向側である。
【００４３】
折り曲げ部１１２は、第１折り曲げ部の一例であり、折り曲げ部１１２のグランドプレーン５０の表面５０Ｂからの高さは、第１高さ位置の一例であり、開放端１１３は第１開放端の一例である。
【００４４】
このようなアンテナエレメント１１０は、スリット５５に対してスリット５５と端辺５０Ａとで囲まれる領域とは反対側において、グランドプレーン５０の表面５０Ｂの近傍に配置される。
【００４５】
アンテナエレメント１１０の給電点１１１から折り曲げ部１１２を経て開放端１１３に至るまでの長さは、整合回路１３０Ａによる波長の短縮効果を含めて、通信周波数における波長の電気長(λ)の１／４に設定されている。
【００４６】
アンテナエレメント１２０は、給電点１２１、折り曲げ部１２２、及び開放端１２３を有し、グランドプレーン５０の表面５０Ｂの近傍に配置される。アンテナエレメント１２０は、逆Ｌ型のアンテナエレメントであり、第２アンテナエレメントの一例である。アンテナエレメント１２０は、例えば、筐体５００Ａ（図１参照）の内面に固定されている。
【００４７】
給電点１２１は、スリット５５の折り曲げ部５５Ｂと端部５５Ｃとの間の区間のＸ軸正方向側に設けられている。給電点１２１には、整合回路１３０Ｂを介して同軸ケーブル５７０Ｂが接続されている。給電点１２１の位置は、スリット５５の折り曲げ部５５Ｂと端部５５Ｃとの間の区間のＸ軸方向の幅の中心を通る軸（Ｙ軸に平行な軸）を対称軸として、給電点１１１と線対称になる位置である。給電点１２１は、整合回路１３０Ｂを介して、同軸ケーブル５７０Ｂ（図２参照）に接続され、給電される。
【００４８】
アンテナエレメント１２０は、給電点１２１からＺ軸正方向側に伸延し、折り曲げ部１２２でＹ軸負方向側に折り曲げられ、折り曲げ部１２２から開放端１２３まで伸延している。折り曲げ部１２２と開放端１２３との間の区間は、スリット５５の折り曲げ部５５Ｂと端部５５Ｃとの間の区間に沿っており、平行に配置されている。
【００４９】
また、折り曲げ部１２２と開放端１２３との間の区間のグランドプレーン５０の表面５０Ｂからの高さ（Ｚ軸方向の距離）は一定である。折り曲げ部１２２の高さは、折り曲げ部１１２の高さと等しい。
【００５０】
開放端１２３の平面視での位置は、一例として、スリット５５の折り曲げ部５５Ｂ及び開放端５５ＡよりもＹ軸負方向側である。このため、アンテナエレメント１２０の開放端１２３側の部分は、スリット５５の開放端５５Ａと折り曲げ部５５Ｂとの間の区間と交叉している。なお、開放端１２３のＹ軸方向における位置は、開放端１１３のＹ軸方向における位置と等しい。
【００５１】
このように、アンテナエレメント１２０の開放端１２３側の部分をスリット５５と交叉させるのは、アンテナエレメント１２０とスリット５５とを結合させて、アンテナエレメント１２０とアンテナエレメント１１０との結合を低減させるためである。
【００５２】
折り曲げ部１２２は、第２折り曲げ部の一例であり、折り曲げ部１２２のグランドプレーン５０の表面５０Ｂからの高さは、第２高さ位置の一例であり、開放端１２３は第２開放端の一例である。
【００５３】
このようなアンテナエレメント１２０は、スリット５５に対してスリット５５と端辺５０Ａとで囲まれる領域において、グランドプレーン５０の表面５０Ｂの近傍に配置される。
【００５４】
アンテナエレメント１２０の給電点１２１から折り曲げ部１２２を経て開放端１２３に至るまでの長さは、整合回路１３０Ｂによる波長の短縮効果を含めて、通信周波数における波長の電気長(λ)の１／４に設定されている。
【００５５】
整合回路１３０Ａは、給電点１１１と同軸ケーブル５７０Ａとグランドプレーン５０との間に接続されている。整合回路１３０Ａは、インダクタ及び／又はキャパシタを有し、給電点１１１と同軸ケーブル５７０Ａ及びグランドプレーン５０との間のインピーダンス整合を取るために設けられている。
【００５６】
整合回路１３０Ｂは、給電点１２１と同軸ケーブル５７０Ｂとグランドプレーン５０との間に接続されている。整合回路１３０Ｂは、インダクタ及び／又はキャパシタを有し、給電点１１１と同軸ケーブル５７０Ｂ及びグランドプレーン５０との間のインピーダンス整合を取るために設けられている。
【００５７】
なお、各部の寸法は、一例として、次の通りである。ここに示す寸法は、アンテナエレメント１１０及び１２０で３．５ＧＨｚでの通信を行うことを前提としたものである。
【００５８】
図４に示すように、スリット５５の折り曲げ部５５Ｂから端部５５Ｃまでの長さは、１８．５ｍｍである。端辺５０Ａからスリット５５の端部５５ＣのＸ軸負方向側の端までの間隔は、６ｍｍである。枠部５６の接続端５６Ａから折り曲げ部５６Ｂまでの長さは５ｍｍである。枠部５６の折り曲げ部５６ＢのＹ軸正方向側の端から、アンテナエレメント１２０の給電点１２１までのＹ軸方向の間隔は、６．５ｍｍである。
【００５９】
アンテナエレメント１１０と１２０のＸ軸方向の幅の中心同士の間隔は、５ｍｍである。スリット５５の開放端５５Ａと折り曲げ部５５Ｂとの間の区間のＹ軸負方向側の端からアンテナエレメント１２０の開放端１２３までのＹ軸方向の長さは、１．０ｍｍである。また、図６に示すように、アンテナエレメント１２０のグランドプレーン５０の表面５０Ｂからの高さは、１．５ｍｍである。
【００６０】
図７は、アンテナ装置１００のシミュレーションモデルの各パラメータを示す図である。図７では、グランドプレーン５０、アンテナエレメント１１０及び１２０を簡略化して１つのブロックとして示す。ポート１、２は、それぞれ、給電点１１１、１２１である。また、図７では、整合回路１３０Ａ、１３０Ｂのインダクタを示す。また、波源６１、６２は、給電点１１１、１２１（ポート１、２）に高周波電力を供給する高周波源であり、内部インピーダンスは、ともに５０Ωである。
【００６１】
また、シミュレーションモデルでは、グランドプレーン５０は、端部５０Ａを除く３辺の方向（Ｘ軸負方向、Ｙ軸正方向、Ｙ軸負方向）に無限に伸延するものであることを条件にした。また、グランドプレーン５０、アンテナエレメント１１０及び１２０等の導体は、完全導体とした。
【００６２】
整合回路１３０Ａは、給電点１１１と波源６１との間に直列に挿入されるインダクタンス（０．３５ｎＨ）と、給電点１１１と波源６１との間から分岐してグランドプレーン５０との間に挿入されるインダクタンス（１ｎＨ）とを有するように設定した。
【００６３】
また、整合回路１３０Ｂは、給電点１２１と波源６２との間に直列に挿入されるインダクタンス（２ｎＨ）と、給電点１２１と波源６２との間から分岐してグランドプレーン５０との間に挿入されるインダクタンス（２．２ｎＨ）とを有するように設定した。
【００６４】
図８は、図７に示すシミュレーションモデルで得たアンテナエレメント１１０及び１２０の結合係数の周波数特性を示す図である。アンテナエレメント１１０及び１２０の結合係数は、Ｓ２１パラメータである。
【００６５】
図８では、横軸に周波数、縦軸にＳ２１パラメータの値（真値）を示す。また、ここでは比較用に、スリット５５及び枠部５６を有しないシミュレーションモデルにおけるアンテナエレメント１１０及び１２０の結合係数も求めた。なお、一例として、アンテナエレメント１１０及び１２０の通信周波数（共振周波数）は、３．５ＧＨｚである。
【００６６】
図８に示すように、実線で示すスリット５５及び枠部５６を有するシミュレーションモデルのアンテナエレメント１１０及び１２０の結合係数は、３．５ＧＨｚで約０．０６であり、破線で示すスリット５５及び枠部５６を有しないシミュレーションモデルのアンテナエレメント１１０及び１２０の結合係数が約０．８７であった。このことから、グランドプレーン５０にスリット５５及び枠部５６を設けるとともに、グランドプレーン５０の端辺５０Ａと枠部５６とで矩形状のループを形成することにより、結合係数が大幅に低減されることが分かった。
【００６７】
すなわち、アンテナエレメント１２０と結合するスリット５５及び枠部５６を設けることにより、隣接して配置されるアンテナエレメント１１０及び１２０の結合係数を大幅に低減できることが分かった。
【００６８】
図９は、グランドプレーン５０、スリット５５、枠部５６、アンテナエレメント１１０及び１２０の電流分布を示す図である。この電流分布は、電磁界シミュレーションにおいて、アンテナエレメント１１０に給電を行わずに、アンテナエレメント１２０のみに給電を行う条件で求めたものである。
【００６９】
図９（Ａ）と（Ｂ）では、３．５ＧＨｚの高周波の位相が互いに異なるタイミングでの電流分布を示す。矢印が濃いほど電流密度が高く、矢印が薄いほど電流密度が低いことを表す。また、給電点１１１、１２１をポート１、２として示す。
【００７０】
図９（Ａ）では、アンテナエレメント１２０とスリット５５とが一体となって動作して、電流が流れていることが分かる。また、スリット５５の開放端５５Ａで電流密度が低く、端部５５Ｃで電流密度が高くなっていることが分かる。このことから、スリット５５は、通信周波数における波長の１／４波長の共振が生じていることが分かる。また、枠部５６にも電流が流れていることが確認できる。
【００７１】
また、図９（Ｂ）では、破線で囲む部分を見て分かるように、アンテナエレメント１２０の給電点１２１側と、枠部５６の接続端５６Ａ及び折り曲げ部５６Ｂと、枠部５６の接続端５６Ｄ及び折り曲げ部５６Ｃとで電流密度が高くなっていることが分かる。また、アンテナエレメント１１０には、殆ど電流が流れていないことが分かる。
【００７２】
このことから、アンテナエレメント１１０と１２０との結合は低減され、枠部５６にも電流が流れていることが確認できる。枠部５６と端辺５０Ａとで形成される矩形状のループには、通信周波数における波長の１波長の共振が生じていることが確認できる。また、アンテナエレメント１１０は、アンテナエレメント１２０とは独立的に単独で動作することを確認できる。
【００７３】
以上、実施の形態１によれば、グランドプレーン５０の端辺５０ＡからＬ字型に形成されるスリット５５を設け、スリット５５の両側にそれぞれアンテナエレメント１１０、１２０を配置し、アンテナエレメント１２０の開放端１２３側をスリット５５と交叉させることにより、隣接して配置されるアンテナエレメント１１０、１２０の結合を低減することができる。
【００７４】
従って、アンテナエレメント１１０、１２０同士の結合を低減したアンテナ装置１００、及び、電子機器５００を提供することができる。アンテナエレメント１１０、１２０は、例えば、ＭＩＭＯ(Multi-Input  Multi-Output)形式の通信に用いることができる。
【００７５】
また、グランドプレーン５０に枠部５６を設けることにより、端辺５０Ａと枠部５６で形成される矩形状のループに電流が流れ、これによりアンテナエレメント１２０に多くの電流が流れるようにすることができる。このことによってもアンテナエレメント１１０、１２０同士の結合を低減できる。
【００７６】
電子機器５００のように、アンテナエレメント１１０、１２０を配置するスペースに制約がある場合には、アンテナエレメント１１０、１２０を隣接して配置することが、電子機器５００の筐体５００Ａの内部のスペースを様々な部品に割り当てる上で効率的である。
【００７７】
また、アンテナエレメント１１０、１２０を隣接して配置できれば、ＤＵＰ５１０（図２参照）から同軸ケーブル５７０Ａ、５７０Ｂで給電する際に、同軸ケーブル５７０Ａ、５７０Ｂの長さを短くすることができる。例えば、２つのアンテナエレメントがグランドプレーン５０のＸ軸正方向側の端部と、Ｘ軸負方向側の端部とに配置されている場合には、アンテナエレメント同士の結合は低くなるが、それぞれのアンテナエレメントに接続する同軸ケーブルの長さは長くなる。
【００７８】
アンテナ装置１００は、アンテナエレメント１１０、１２０を隣接して配置しつつ、間にスリット５５を設け、アンテナエレメント１２０の開放端１２３側をスリット５５と交叉させることにより、アンテナエレメント１１０及び１２０の結合を低減し、スペースの利用効率の改善、及び、同軸ケーブル５７０Ａ、５７０Ｂの長さの短縮化と引き回しの簡略化とを実現することができる。
【００７９】
また、以上では、グランドプレーン５０に２つのアンテナエレメント１１０、１２０を設ける形態について説明したが、例えば、グランドプレーン５０のＹ軸正方向側の端部と、Ｙ軸負方向側の端部とに、それぞれアンテナエレメントを設けてもよい。このようにすれば、アンテナ装置１００は、４つのアンテナエレメントを含むことになり、例えば、４×４のＭＩＭＯ形式の通信を実現することができる。グランドプレーン５０のＹ軸正方向側及びＹ軸負方向側の端部に配設される２つアンテナエレメントと、アンテナエレメント１１０、１２０とは、十分に離れているため、結合の問題は生じないものと考えられる。
【００８０】
なお、以上では、アンテナエレメント１１０、１２０が逆Ｌ型である形態について説明したが、アンテナエレメント１１０、１２０が逆Ｆ型であってもよい。
【００８１】
また、以上では、枠部５６の接続端５６Ａ及び折り曲げ部５６Ｂがスリット５５の端部５５ＣよりもＹ軸正方向側に位置する形態について説明した。しかしながら、枠部５６の接続端５６Ａ及び折り曲げ部５６Ｂと、スリット５５の端部５５ＣとはＹ軸方向において等しい位置にあってもよく、枠部５６の接続端５６Ａ及び折り曲げ部５６Ｂがスリット５５の端部５５ＣよりもＹ軸負方向側に位置してもよい。
【００８２】
また、以上では、枠部５６の接続端５６Ａ及び折り曲げ部５６Ｂがアンテナエレメント１２０の給電点１２１よりもＹ軸正方向側に位置する形態について説明した。しかしながら、枠部５６の接続端５６Ａ及び折り曲げ部５６Ｂと、給電点１２１とはＹ軸方向において等しい位置にあってもよく、枠部５６の接続端５６Ａ及び折り曲げ部５６Ｂが給電点１２１よりもＹ軸負方向側に位置してもよい。
【００８３】
また、枠部５６の折り曲げ部５６Ｃ及び接続端５６ＤのＹ軸方向における位置は、図３及び図４に示す位置よりも開放端５５Ａに近い位置にあってもよい。また、アンテナエレメント１１０と１２０のＹ軸方向における位置は、ずれていてもよい。
【００８４】
また、以上では、Ｙ軸方向において、給電点１１１がスリット５５の折り曲げ部５５Ｂと端部５５Ｃとの間にある形態について説明したが、給電点１１１は、スリット５５の折り曲げ部５５ＢよりもＹ軸正方向側に位置してもよい。同様に、Ｙ軸方向において、給電点１２１は、スリット５５の折り曲げ部５５ＢよりもＹ軸正方向側に位置してもよい。
【００８５】
＜実施の形態２＞
図１０は、実施の形態２のアンテナ装置２００を示す斜視図である。図１１は、図１０の一部を拡大して示す平面図である。
【００８６】
アンテナ装置２００は、グランドプレーン２５０、アンテナエレメント１１０、１２０、整合回路１３０Ａ、１３０Ｂを含む。アンテナ装置２００は、実施の形態１のアンテナ装置１００のグランドプレーン５０をグランドプレーン２５０に置き換えたものである。グランドプレーン２５０は、実施の形態１のグランドプレーン５０から枠部５６を取り除いたものである。その他の構成は、実施の形態１のアンテナ装置１００と同様であるため、同様の構成要素には同一符号を付し、その説明を省略する。
【００８７】
なお、各部の寸法は、一例として、次の通りである。ここに示す寸法は、アンテナエレメント１１０及び１２０で３．５ＧＨｚでの通信を行うことを前提としたものである。
【００８８】
スリット５５の折り曲げ部５５Ｂから端部５５Ｃまでの長さは、２４．５ｍｍである。スリット５５の折り曲げ部５５Ｂと端部５５Ｃとの間の区間のＸ軸負方向側の端から端辺５０Ａまでの間隔は、６ｍｍである。端辺５０Ａからアンテナエレメント１２０の折り曲げ部１２２と開放端１２３との間の区間のＸ軸正方向側の端までの間隔は、２ｍｍである。その他の長さ、間隔は、実施の形態１と同様である。
【００８９】
図１２は、アンテナ装置２００のシミュレーションモデルの各パラメータを示す図である。図１２では、グランドプレーン２５０、アンテナエレメント１１０及び１２０を簡略化して１つのブロックとして示す。その他は図７と同様である。
【００９０】
整合回路１３０Ａは、給電点１１１と波源６１との間に直列に挿入されるインダクタンス（０．９２ｎＨ）と、給電点１１１と波源６１との間から分岐してグランドプレーン５０との間に挿入されるインダクタンス（０．４３ｎＨ）とを有するように設定した。
【００９１】
また、整合回路１３０Ｂは、給電点１２１と波源６２との間に直列に挿入されるインダクタンス（１．７９ｎＨ）と、給電点１２１と波源６２との間から分岐してグランドプレーン５０との間に挿入されるインダクタンス（０．４９ｎＨ）とを有するように設定した。
【００９２】
図１３は、図１２に示すシミュレーションモデルで得たアンテナエレメント１１０及び１２０の結合係数の周波数特性を示す図である。アンテナエレメント１１０及び１２０の結合係数は、Ｓ２１パラメータである。
【００９３】
図１３では、横軸に周波数、縦軸にＳ２１パラメータの値（真値）を示す。また、ここでは比較用に、スリット５５を有しないシミュレーションモデルにおけるアンテナエレメント１１０及び１２０の結合係数も求めた。なお、一例として、アンテナエレメント１１０及び１２０の通信周波数（共振周波数）は、３．５ＧＨｚである。
【００９４】
図１３に示すように、実線で示すスリット５５を有するシミュレーションモデルのアンテナエレメント１１０及び１２０の結合係数は、３．５ＧＨｚで約０．３５であり、破線で示すスリット５５を有しないシミュレーションモデルのアンテナエレメント１１０及び１２０の結合係数が約０．８７であった。
【００９５】
このことから、枠部５６を有しないグランドプレーン２５０にスリット５５を設けることにより、結合係数が大幅に低減されることが分かった。枠部５６を有する実施の形態１のグランドプレーン５０を含むシミュレーションモデルに比べると、アンテナエレメント１１０及び１２０の結合の低減度合は、少し少ないが、アンテナエレメント１１０及び１２０の結合は、十分に低下されることが分かった。
【００９６】
以上、実施の形態２によれば、グランドプレーン２５０の端辺５０ＡからＬ字型に形成されるスリット５５を設け、スリット５５の両側にそれぞれアンテナエレメント１１０、１２０を配置し、アンテナエレメント１２０の開放端１２３側をスリット５５と交叉させることにより、隣接して配置されるアンテナエレメント１１０、１２０の結合を低減することができる。
【００９７】
従って、アンテナエレメント１１０、１２０同士の結合を低減したアンテナ装置２００、及び、電子機器５００を提供することができる。
【００９８】
また、アンテナ装置２００は、実施の形態１のアンテナ装置１００と同様に、アンテナエレメント１１０、１２０を隣接して配置しつつ、間にスリット５５を設け、アンテナエレメント１２０の開放端１２３側をスリット５５と交叉させることにより、アンテナエレメント１１０及び１２０の結合を低減し、スペースの利用効率の改善、及び、同軸ケーブル５７０Ａ、５７０Ｂの長さの短縮化と引き回しの簡略化とを実現することができる。
【００９９】
また、以上では、アンテナエレメント１１０、１２０がスリット５５の両側に設けられ、かつ、アンテナエレメント１１０、１２０が隣接して互いに平行に設けられる形態について説明したが、次のように配置を変えてもよい。
【０１００】
図１４及び図１５は、実施の形態２の変形例によるアンテナ装置２００Ａ及び２００Ｂを示す図である。
【０１０１】
図１４に示すアンテナ装置２００Ａは、図１０に示すアンテナ装置２００のアンテナエレメント１１０をアンテナエレメント１１０Ａに変えたものである。アンテナエレメント１１０Ａは、スリット５５の開放端５５Ａと折り曲げ部５５Ｂとの間の区間よりもＹ軸負方向側に設けられている。
【０１０２】
アンテナエレメント１１０Ａは、アンテナエレメント１２０とＸ軸方向における位置が等しくなるように配置されており、給電点１１１及び折り曲げ部１１２はＹ軸正方向側に位置し、開放端１１３は、Ｙ軸負方向側に位置する。アンテナエレメント１１０Ａは、スリット５５に対してスリット５５と端辺５０Ａとで囲まれる領域とは反対側に設けられている。
【０１０３】
このようなアンテナ装置２００Ａにおいても、アンテナエレメント１２０はスリット５５と結合されているため、アンテナエレメント１１０Ａ及び１２０の結合は、図１０に示すアンテナ装置２００と同様に低減される。
【０１０４】
なお、タブレットコンピュータ５００の筐体５００Ａの内部のスペース等の関係で、図１０に示すアンテナ装置２００のアンテナエレメント１１０のようにアンテナエレメント１２０の隣にアンテナエレメント１１０Ａを配置できない場合には、このような配置が有効的である。
【０１０５】
また、図１５に示すアンテナ装置２００Ｂは、図１０に示すアンテナ装置２００のアンテナエレメント１１０をアンテナエレメント１１０Ｂに変えたものである。アンテナエレメント１１０Ｂは、図１０に示すアンテナエレメント１１０の角度を変えたものである。
【０１０６】
このようなアンテナ装置２００Ｂにおいても、アンテナエレメント１２０はスリット５５と結合されているため、アンテナエレメント１１０Ｂ及び１２０の結合は、図１０に示すアンテナ装置２００と同様に低減される。
【０１０７】
なお、タブレットコンピュータ５００の筐体５００Ａの内部のスペース等の関係で、アンテナエレメント１１０Ｂを図１０に示すアンテナ装置２００のアンテナエレメント１１０のようにアンテナエレメント１２０と平行に配置できない場合には、このような配置が有効的である。
【０１０８】
＜実施の形態３＞
図１６及び図１７は、実施の形態３のアンテナ装置３００を示す斜視図及び平面図である。図１８は、図１６の一部を拡大して示す斜視図であり、図１９は、図１８に拡大して示す部分を示す平面図である。
【０１０９】
アンテナ装置３００は、グランドプレーン３５０、アンテナエレメント１１０、１２０、整合回路１３０Ａ、１３０Ｂ、及び金属プレート３３０を含む。アンテナ装置３００は、通信機能を有するタブレットコンピュータ５００(図１参照)に設けられる。
【０１１０】
実施の形態３００のアンテナ装置３００は、実施の形態１００のアンテナ装置１００のグランドプレーン５０をグランドプレーン３５０に置き換え、グランドプレーン３５０の周囲に金属プレート３３０を取り付けたものである。
【０１１１】
なお、グランドプレーン３５０は、実施の形態２のグランドプレーン２５０と同様であり、実施の形態１のグランドプレーン５０から枠部５６を取り除いた構成を有する。グランドプレーン３５０のＹ軸負方向側の表面５０Ｂ側には、バッテリ３６０が配置されている。その他の構成は、実施の形態１、２のアンテナ装置１００、２００と同様である。同様の構成要素には同一符号を付し、その説明を省略する。
【０１１２】
金属プレート３３０は、グランドプレーン３５０の周囲を囲む矩形環状の金属板である。金属プレート３３０は、Ｘ軸方向及びＹ軸方向に薄く、Ｚ軸方向に所定の幅を有する。金属プレート３３０は、１８個の接続部３３１によってグランドプレーン３５０の周囲に接続されている。このため、金属プレート３３０は、グランド電位に保持される。金属プレート３３０は、一部又は全体が筐体５００Ａ（図１参照）の側面に表出していてもよい。
【０１１３】
１８個の接続部３３１のうち、スリット５５の開放端５５Ａに最も近い２つの接続部３３１を接続部３３１Ａ、３３１Ｂと称す。接続部３３１Ａは、開放端５５ＡのＹ軸正方向側に位置し、接続部３３１Ｂは、開放端５５ＡのＹ軸負方向側に位置する。
【０１１４】
金属プレート３３０のうち、接続部３３１Ａ及び３３１Ｂの間の区間は、図３及び図４に示す枠部５６と同様の構成を有する。このため、アンテナ装置３００は、実施の形態１のアンテナ装置１００と同様に、金属プレート３３０のうち、接続部３３１Ａ及び３３１Ｂの間の区間に電流が流れ、また、スリット５５とアンテナエレメント１２０とが結合する。金属プレート３３０のうち、少なくとも、接続部３３１Ａ及び３３１Ｂの間の区間は、突出金属部材の一例である。
【０１１５】
なお、各部の寸法は、一例として、次の通りである。ここに示す寸法は、アンテナエレメント１１０及び１２０で３．５ＧＨｚでの通信を行うことを前提としたものである。
【０１１６】
アンテナエレメント１１０の給電点１１１から折り曲げ部１１２を経て開放端１１３までの長さは、１５ｍｍであり、Ｘ軸方向の幅は２ｍｍ、グランドプレーン３５０の表面５０Ｂからの高さは１．５ｍｍである。スリット５５の幅は２ｍｍである。筐体５００Ａ（図１参照）は、Ｘ軸方向の長さが７５．４ｍｍ、Ｙ軸方向の長さが１５６ｍｍ、Ｚ軸方向の厚さが７．７ｍｍであり、比誘電率は３である。
【０１１７】
また、図１９に示すように、アンテナエレメント１１０、１２０のＸ軸方向の間隔は、３ｍｍであり、スリット５５の開放端５５Ａと折り曲げ部５５Ｂとの間の長さは、６ｍｍであり、スリット５５の折り曲げ部５５Ｂと端部５５Ｃとの間の長さは、１７ｍｍである。また、スリット５５の開放端５５Ａと折り曲げ部５５Ｂとの間の区間のＹ軸方向側の端と、アンテナエレメント１１０の開放端１１３とのＹ軸方向の長さは、１ｍｍである。また、金属プレート３３０の接続部３３１と３３１Ａとの間の区間の長さは３０ｍｍである。
【０１１８】
図２０は、アンテナ装置３００のシミュレーションモデル１００の各パラメータを示す図である。図２０では、グランドプレーン３５０、アンテナエレメント１１０及び１２０を簡略化して１つのブロックとして示す。ポート１、２は、それぞれ、給電点１１１、１２１である。また、図２０では、整合回路１３０Ａ、１３０Ｂのインダクタ、キャパシタを示す。その他は図７と同様である。
【０１１９】
整合回路１３０Ａは、給電点１１１と波源６１との間に直列に挿入されるインダクタンス（０．７ｎＨ）と、給電点１１１と波源６１との間から分岐してグランドプレーン５０との間に挿入されるインダクタンス（０．４ｎＨ）とを有するように設定した。
【０１２０】
また、整合回路１３０Ｂは、給電点１２１と波源６２との間に直列に挿入されるインダクタンス（３．６ｎＨ）と、給電点１２１と波源６２との間から分岐してグランドプレーン５０との間に挿入されるキャパシタ（０．３ｐＦ）とを有するように設定した。
【０１２１】
図２１は、図２０に示すシミュレーションモデルで得たアンテナエレメント１１０及び１２０の結合係数の周波数特性を示す図である。アンテナエレメント１１０及び１２０の結合係数は、Ｓ２１パラメータである。
【０１２２】
図２１では、横軸に周波数、縦軸にＳ２１パラメータの値（ｄＢ）を示す。また、ここでは比較用に、スリット５５を有しないシミュレーションモデルにおけるアンテナエレメント１１０及び１２０の結合係数も求めた。なお、一例として、アンテナエレメント１１０及び１２０の通信周波数（共振周波数）は、３．５ＧＨｚである。
【０１２３】
図２１に示すように、実線で示すスリット５５を有するシミュレーションモデルのアンテナエレメント１１０及び１２０の結合係数は、３．５ＧＨｚで約−２６．５ｄＢであり、破線で示すスリット５５を有しないシミュレーションモデルのアンテナエレメント１１０及び１２０の結合係数が約−４ｄＢであった。このことから、グランドプレーン３５０にスリット５５を設けることにより、結合係数が大幅に低減されることが分かった。
【０１２４】
すなわち、アンテナエレメント１２０と結合するスリット５５を設けるとともに、端辺５０Ａと、金属プレート３３０のうち、接続部３３１Ａ及び３３１Ｂの間の区間とで矩形状のループを形成することにより、隣接して配置されるアンテナエレメント１１０及び１２０の結合係数を大幅に低減できることが分かった。
【０１２５】
図２２は、図２０に示すシミュレーションモデルで得たアンテナエレメント１１０及び１２０の結合係数と反射係数の周波数特性を示す図である。アンテナエレメント１１０及び１２０の結合係数は、Ｓ２１パラメータであり、反射係数は、Ｓ１１、Ｓ２２パラメータである。
【０１２６】
Ｓ２１パラメータは、３．５ＧＨｚで約−２４ｄＢであり、アンテナエレメント１１０及び１２０の結合の低さを確認できた。また、Ｓ１１、Ｓ２２パラメータは、３．５ＧＨｚで約−２２．５ｄＢ、約−３０ｄＢであり、アンテナエレメント１１０及び１２０の反射の少なさを確認できた。
【０１２７】
図２３は、図２０に示すシミュレーションモデルで得たアンテナエレメント１１０及び１２０のトータル効率の周波数特性を示す図である。
【０１２８】
アンテナエレメント１１０のトータル効率は、３．５ＧＨｚで約−１．５ｄＢであり、アンテナエレメント１２０のトータル効率は、３．５ＧＨｚで約−１．２ｄＢであり、両方とも良好な値が得られた。
【０１２９】
以上、実施の形態３によれば、グランドプレーン３５０の端辺５０ＡからＬ字型に形成されるスリット５５を設け、スリット５５の両側にそれぞれアンテナエレメント１１０、１２０を配置し、アンテナエレメント１２０の開放端１２３側をスリット５５と交叉させることにより、隣接して配置されるアンテナエレメント１１０、１２０の結合を低減することができる。
【０１３０】
従って、アンテナエレメント１１０、１２０同士の結合を低減したアンテナ装置１００、及び、電子機器５００を提供することができる。
【０１３１】
また、グランドプレーン３５０に金属プレート３３０を設けることにより、端辺５０Ａと、金属プレート３３０のうち接続部３３１Ａ及び３３１Ｂの間の区間とで形成される矩形状のループに電流が流れ、これによりアンテナエレメント１２０に多くの電流が流れるようにすることができる。このことによってもアンテナエレメント１１０、１２０同士の結合を低減できる。
【０１３２】
また、アンテナエレメント１１０、１２０のそれぞれの反射係数も十分に低く良好な値であり、トータル効率も良好な値が得られた。従って、アンテナエレメント１１０、１２０の結合を低減しつつ、アンテナエレメント１１０、１２０が良好な放射特性を有するアンテナ装置３００を提供することができる。
【０１３３】
なお、以上では、金属プレート３３０がグランドプレーン３５０の周囲を囲む矩形環状の部材である形態について説明した。しかしながら、金属プレート３３０は、グランドプレーン３５０の周囲において分割されていてもよく、一部がアンテナエレメントとして、あるいは、アンテナエレメントの一部として機能する構成であってもよい。
【０１３４】
以上、本発明の例示的な実施の形態のアンテナ装置、及び、電子機器について説明したが、本発明は、具体的に開示された実施の形態に限定されるものではなく、特許請求の範囲から逸脱することなく、種々の変形や変更が可能である。
以上の実施の形態に関し、さらに以下の付記を開示する。
（付記１）
端辺と、第１面と、前記端辺に設けられるスリット開放端から平面視で内部の第１点まで伸延し、前記第１点で折れ曲がって前記端辺に沿って第２点まで伸延するスリットとを有するグランドプレーンと、
第１給電点と第１開放端とを有する第１アンテナエレメントであって、前記第１給電点は、平面視で前記スリットに対して前記スリットと前記端辺とで囲まれる領域とは反対側において前記第１面の近傍に配置され、前記第１給電点から前記第１面に対する第１高さ位置の第１折り曲げ部まで伸延し、前記第１折り曲げ部で前記スリットに沿う方向に折り曲げられて前記第１開放端まで伸延する、第１アンテナエレメントと、
第２給電点と第２開放端とを有する第２アンテナエレメントであって、前記第２給電点は、平面視で前記スリットに対して前記スリットと前記端辺とで囲まれる領域において前記第１面の近傍に配置され、前記第２給電点から前記第１面に対する第２高さ位置の第２折り曲げ部まで伸延し、前記第２折り曲げ部で前記スリットに沿う方向に折り曲げられて前記第２開放端まで伸延し、平面視で前記第２開放端側で前記スリットと交叉する、第２アンテナエレメントと
を含む、アンテナ装置。
（付記２）
前記第１アンテナエレメントと前記第２アンテナエレメントとは、前記スリットの前記第１点と前記第２点との間の区間に沿って配置され、
前記第２アンテナエレメントの前記第２開放端側の部分は、前記スリットの前記スリット開放端と前記第１点との間の区間と交叉する、付記１記載のアンテナ装置。
（付記３）
前記第１給電点と前記第２給電点とは、前記スリットの前記第１点と前記第２点との間の区間を挟んで隣り合って配置されており、
前記第１高さ位置と前記第２高さ位置は等しく、
前記第１アンテナエレメントの前記第１折り曲げ部から前記第１開放端までの区間と、前記第２アンテナエレメントの前記第２折り曲げ部から前記第２開放端までの区間とは、平行である、付記１又は２記載のアンテナ装置。
（付記４）
前記端辺の前記スリット開放端に対する第１側及び第２側にそれぞれ接続される第１端部及び第２端部を有し、前記第１端部と前記第２端部との間で前記端辺よりも突出して設けられる突出金属部材をさらに含む、付記１乃至３のいずれか一項記載のアンテナ装置。
（付記５）
前記突出金属部材は、前記端辺から離間する方向に前記第１端部から第３折り曲げ部まで伸延する第１区間と、前記第３折り曲げ部で前記端辺に沿って折り曲げられて第４折り曲げ部まで伸延する第２区間と、前記第４折り曲げ部で前記端辺に向かって折り曲げられて前記第２端部まで伸延する第３区間とを有する、付記４記載のアンテナ装置。
（付記６）
前記端辺と前記突出金属部材とで形成されるループの長さは、前記第２アンテナエレメントの通信周波数における波長の電気長よりも長い、又は、短い、付記４又は５記載のアンテナ装置。
（付記７）
前記スリットの前記スリット開放端から前記第１点を経た前記第２点までの長さは、前記第２アンテナエレメントの通信周波数における波長の電気長の１／４の長さよりも長い、又は、短い、付記１乃至６のいずれか一項記載のアンテナ装置。
（付記８）
前記第１アンテナエレメント及び前記第２アンテナエレメントは、逆Ｌ型又は逆Ｆ型のアンテナエレメントである、付記１乃至６のいずれか一項記載のアンテナ装置。
（付記９）
筐体と、
前記筐体に配設されるアンテナ装置と
を含み、
前記アンテナ装置は、
端辺と、第１面と、前記端辺に設けられるスリット開放端から平面視で内部の第１点まで伸延し、前記第１点で折れ曲がって前記端辺に沿って第２点まで伸延するスリットとを有するグランドプレーンと、
第１給電点と第１開放端とを有する第１アンテナエレメントであって、前記第１給電点は、平面視で前記スリットに対して前記スリットと前記端辺とで囲まれる領域とは反対側において前記第１面の近傍に配置され、前記第１給電点から前記第１面に対する第１高さ位置の第１折り曲げ部まで伸延し、前記第１折り曲げ部で前記スリットに沿う方向に折り曲げられて前記第１開放端まで伸延する、第１アンテナエレメントと、
第２給電点と第２開放端とを有する第２アンテナエレメントであって、前記第２給電点は、平面視で前記スリットに対して前記スリットと前記端辺とで囲まれる領域において前記第１面の近傍に配置され、前記第２給電点から前記第１面に対する第２高さ位置の第２折り曲げ部まで伸延し、前記第２折り曲げ部で前記スリットに沿う方向に折り曲げられて前記第２開放端まで伸延し、平面視で前記第２開放端側で前記スリットと交叉する、第２アンテナエレメントと
を有する、電子機器。
【符号の説明】
【０１３５】
５０  グランドプレーン
５０Ａ  端辺
５０Ｂ  表面
５５  スリット
５５Ａ  開放端
５５Ｂ  折り曲げ部
５５Ｃ  端部
５６  枠部
５６Ａ  接続端
５６Ｂ、５６Ｃ  折り曲げ部
５６Ｄ  接続端
１００、１００Ａ、１００Ｂ  アンテナ装置
１１０、１１０Ａ、１１０Ｂ  アンテナエレメント
１１１  給電点
１１２  折り曲げ部
１１３  開放端
１２０  アンテナエレメント
１２１  給電点
１２２  折り曲げ部
１２３  開放端
１３０Ａ、１３０Ｂ  整合回路
２００  アンテナ装置
２５０  グランドプレーン
３００  アンテナ装置
３３０  金属プレート
３３１、３３１Ａ、３３１Ｂ  接続部
３５０  グランドプレーン
５００  タブレットコンピュータ
５００Ａ  筐体
５０１  タッチパネル
５０２  ディスプレイパネル
５０３  ホームボタン
５０４  スイッチ
５０５  配線基板
５１０  ＤＵＰ
５２０  ＬＮＡ／ＰＡ
５３０  変調／復調器
５４０  ＣＰＵチップ
５６５  配線
５６０Ａ、５６０Ｂ  配線
５７０Ａ、５７０Ｂ  同軸ケーブル
【図１】
2018170589.tif 000003
【図２】
2018170589.tif 000004
【図３】
2018170589.tif 000005
【図４】
2018170589.tif 000006
【図５】
2018170589.tif 000007
【図６】
2018170589.tif 000008
【図７】
2018170589.tif 000009
【図８】
2018170589.tif 000010
【図９】
2018170589.tif 000011
【図１０】
2018170589.tif 000012
【図１１】
2018170589.tif 000013
【図１２】
2018170589.tif 000014
【図１３】
2018170589.tif 000015
【図１４】
2018170589.tif 000016
【図１５】
2018170589.tif 000017
【図１６】
2018170589.tif 000018
【図１７】
2018170589.tif 000019
【図１８】
2018170589.tif 000020
【図１９】
2018170589.tif 000021
【図２０】
2018170589.tif 000022
【図２１】
2018170589.tif 000023
【図２２】
2018170589.tif 000024
【図２３】
2018170589.tif 000025